【手続補正書】
【提出日】平成19年8月7日(2007.8.7)
【手続補正１】
【補正対象書類名】明細書
【補正対象項目名】特許請求の範囲
【補正方法】変更
【補正の内容】
【特許請求の範囲】
【請求項１】  シート材料のロールを収容し分配するための非対称形のカートンであって、前記カートンが、長手方向の軸線を有し、組み立てた状態及び扁平にした状態を有し、組み立てたとき平坦な複数の側方パネルから形成される非対称形の多角形の断面を有するシリンダー構造体を形成し、隣接した前記側方パネルの交わりによって画定された折り曲げ線を有し、前記カートンを２つの折り曲げ線で折り曲げて平坦な構造体を形成することによって前記扁平にした状態に折り曲げ可能である非対称形のカートン。
【請求項２】  前記カートンが、平坦な端部パネルによって両端で閉鎖される、請求項１に記載のカートン。
【請求項３】  前記側方パネルが、各々が一方の縁部で前部側方パネルに接合されている対向する平行な頂部側方パネルと底部側方パネルとを有し、前記前部側方パネルが、前記頂部側方パネルと前記底部側方パネルに直角であり、前記側方パネルが、前記前部側方パネルに対向する前記頂部側方パネルと前記底部側方パネルを接合し互いに非平行である少なくとも２つの追加の側方パネルを有する、請求項１又は２のいずれか１項に記載のカートン。
【請求項４】  前記カートンが、少なくとも１つの前記側方パネルから形成された旋回自在なふたを有する、請求項１〜３のいずれか１項に記載のカートン。
【請求項５】  前記カートンが、シート材料の巻かれたウエブを分配するための芯管を有する請求項１〜４のいずれか１項に記載のカートン。
【請求項６】  前記旋回自在なふたが、対応する端部パネルの少なくとも一部を形成する少なくとも１つのガセットパネルを有し、前記ガセットパネルが、開口を有し、かつ、前記芯管の端部キャップが、外側に突出したボタンを有し、前記ボタンが、前記開口と協働して前記ふたを閉鎖位置に固定する、請求項４又は５のいずれか１項に記載のカートン。
【請求項７】  前記カートンが、切断用ブレードを有する、請求項１〜６のいずれか１項に記載のカートン。
【請求項８】  前記カートンが、頂部パネルと、前記頂部パネルに平行な底部パネルと、前記頂部パネルおよび前記底部パネルに直角な前部パネルと、前記前部パネルに対向する複合後部パネルとを有し、前記複合後部パネルが、少なくとも３つの側方パネル部材を有する、請求項１〜７のいずれか１項に記載のカートン。
【請求項９】  （ａ）２つの側壁と、２つの端壁と、底壁と、少なくとも１つの前記端壁上に重なる少なくとも１つのガセットを有するふたとを有する閉鎖カートンと、
（ｂ）前記カートン内に収容されるシート材料のウエブと、
を有し、
ここで前記カートンが、少なくとも１つの前記端壁から外側に延びると共に少なくとも１つの前記ガセットの開口と協働する、少なくとも１つの突出部を有して前記ふたを閉鎖位置に固定する、シート材料を収容し分配するカートン。
【請求項１０】  前記シート材料のウエブが、芯管の周りに巻かれ、前記芯管が、一対の端部キャップを介して前記カートン内に支持されている、請求項９に記載のカートン。
【手続補正２】
【補正対象書類名】明細書
【補正対象項目名】０００３
【補正方法】変更
【補正の内容】
【０００３】
今日よく使用されるこのような材料の１つに、通常ロール状で供給され、平面的で柔軟性のある薄いウエブ状に形成された種々の組成物がある。このような材料の一般的な例は、ポリ塩化ビニル（ＰＶＣ）、ポリ塩化ビニリデン（ＰＶＤＣ）、ポリエチレン（ＰＥ）、ポリプロピレン（ＰＰ）、アルミニウムフォイル、コーティングされた（ワックスが塗られた等）及びコーティングされない紙等である。同様な用途に対して最近開発された材料は、ベース材料の立体的な表面トポグラフィーによって外側接触から保護された少なくとも１つの表面に接着剤のような活性物質を有する、立体的な柔軟性のあるウエブを含む。
【手続補正３】
【補正対象書類名】明細書
【補正対象項目名】０００６
【補正方法】変更
【補正の内容】
【０００６】
半六角形（断面の半分が六角形であり、半分が方形である）のような大部分の非対称形のカートンは、端部装填型カートンとは互換性がなく、頂部装填設計を使用することが必要になる。さらに詳細には、端部装填型カートンは、それ自身上に折り曲げられ、のりの継ぎ目に沿って糊付けされ、扁平（以下、平坦ともいう。）にされた管状／シリンダー構造体を形成するカートン素材片（以下、素材、半加工品ともいう。）の性能に依存し、この構造体は、次に、所望の最終的な断面になるように組み立てられ、一端から製品のロールが挿入され、端部フラップが糊付けされて閉鎖される。カートンを扁平にして次にその側方面の立体的な形状の故に管状構造に組み立てることができない場合、カートンは、製品のロールを、一端を通るように挿入せずに、最終的に組み立てられる前に、一方の側方面（通常「上部」）を通して入れることができるような方法で、組み立てられなければならない。頂部装填構成は、端部装填より動作において遅く、生産量が小さくなり、一般に信頼性が低い。
【手続補正４】
【補正対象書類名】明細書
【補正対象項目名】０００７
【補正方法】変更
【補正の内容】
【０００７】
従来技術の大部分のカートンは、消費者が、ロールを回転してウエブ材料の端部を露出するために、またはロールを回転して余分のシート材料を巻き上げ、ウエブの端部をカートンに向かってその内部に巻き戻すために、カートンの外部から製品のロールを回転することができるような特徴に欠ける。多くのカートンは、カートン内でロール自体をその向きに維持するために製品ロールの重量に依存し、ロールは、使用中カートン内で動き得る。
【手続補正５】
【補正対象書類名】明細書
【補正対象項目名】０００９
【補正方法】変更
【補正の内容】
【０００９】
したがって、端部装填型カートンと互換性のある非対称形のカートンを提供することが望ましい。
【手続補正６】
【補正対象書類名】明細書
【補正対象項目名】００１３
【補正方法】変更
【補正の内容】
【００１３】
（詳細な説明）
図１は、本発明によるカートン１０を示すもので、ロール３０を収容し、このロール３０からシート材料のウエブ２０を分配するのに適している。このカートン１０は、底部パネル１、２つの端部パネル２及び３、頂部（以下、上方ともいう。）パネル７及びフラップ１５を有するふた２５、並びに側方パネル４，５，８及び９を有する。図示した実施形態において、フラップ１５は、ふたが閉鎖形態にあるとき、前部側方パネル５の少なくとも一部と重複する。ふた２５の各頂部のガセット６は、フラップ１５をふた２５の上方パネル７と垂直な関係で維持するのに役立つ。パネル１、４、５、７、８及び９の全ては、「側方」パネルとして機能し、折り曲げ線（又はパネル５及び１５の場合以降、複合前部パネル５／１５と称される平坦な前方側方を形成する重複関係）によって互いに接合され、多角形の断面を有するシリンダー構造体を形成する。このようなシリンダー構造体は、端部パネル２及び３によって閉鎖され、閉鎖されたカートンを形成する。図５に「ＣＬ」として図示された製品ロールの中心線は、カートンの長手方向の軸線を画定し、「側方」パネルは、長手方向軸線に全てが平行であり、端部パネルは、長手方向軸線に直角である。
【手続補正７】
【補正対象書類名】明細書
【補正対象項目名】００１７
【補正方法】変更
【補正の内容】
【００１７】
図５は、図１から図４のカートン１０の断面図であり、カートンの種々の「側方」の寸法と角度の関係を詳細に示している。パネル１，５／１５及び７は、各々が頂部パネル７及び底部パネル１と互いに直角であり、上方パネル７及び底部パネル１は、それぞれ、互いに平行であり、前方パネル５／１５によって接合され、前方パネル５／１５は、パネル１及び７に垂直である。したがって、カートンは、製品ロールの中心線の一つの側方にある断面部分に関して半方形であり、堅い表面に置かれたときに、安定用の大きな突出したコーナーを有する。残りの側方パネル４、８及び９は、前方パネル５／１５と反対の多角形の断面の部分を包囲し、複合前方パネル５／１５と反対側の複合後部パネル４／８／９と称されるパネルを形成する。３つのパネル部材から形成された複合パネルが図示されているが、所望ならば、パネル部材の数は、２，３，４，５またはそれ以上であってもよい。
【手続補正８】
【補正対象書類名】明細書
【補正対象項目名】００２５
【補正方法】変更
【補正の内容】
【００２５】
本発明によってカートンとともに用いられるブレードは、歯の設計パラメータを使用することが好ましく、このパラメータは、広範な材料、特に、比較的低い係数（伸長に対して力が小さい）のシート材料、及びそれらの複合材料が、平面的な形状で呈するよりも低い係数を有する立体的な形状のシート材料とともに用いる状態で優れた切断性能を有するように選択され最適化される。このようなブレードは、１９９８年１１月２４日にポラード（Pollard）らに付与され、共に譲渡された米国特許第５，８３９，６３４号に開示されており、これは、参照によりこの明細書に組み込まれる。
【手続補正９】
【補正対象書類名】明細書
【補正対象項目名】００２８
【補正方法】変更
【補正の内容】
【００２８】
図１１は、図１から図４に示すカートンを形成するために適した半加工品６０を示しており、種々の側面及び部材が前の図面に示した数字で示されている。また、半加工品６０は、カートンの他のパネルを糊付け及び／又は補強し、芯管端部キャップを保持し支持するための表面を形成する追加のタブ及びパネルを有する。さらに詳細には、パネル５６は、使用前にブレードを保護する取り外し可能な破断ストリップを形成するために、脆弱線好ましくは、穿孔ラインに沿ってパネル１５に接続されている。破断ストリップ５６は、場所５９で前方パネル５に最初に糊付けされており、この場所は、破断ストリップを除去するために容易に克服されるように十分に小さい。パネル５７は、補強部材としてパネル５の背後で折られ、ライン５８に沿って糊付けされる。カートンが段ボール（以下、波形の板紙ともいう。）のような配向性を有する材料から作られる場合、方向「Ｘ」は、材料のフルートの向きとして好ましい向きである。
【手続補正１０】
【補正対象書類名】明細書
【補正対象項目名】００３１
【補正方法】変更
【補正の内容】
【００３１】
シート材料をある長さに切断するために、シート材料の端縁２１は、材料の一部がブレード４０を包囲し、材料がユーザーに向かってある角度でカートンの方向から上方に図１２の大きな矢印によって引かれるように、ブレードの場所の上で後方に引かれる。この時点で、手８０Ａは、手７０と交差し、破断工程が進むにつれて手８０Ｂで示した場所に到達する。シート材料をブレードを横断するように所定の角度で引くことによって、ブレードの歯の上のシート材料に加えられる単位面積当たりの力がシート材料を貫通するために必要な貫通力を越えるようにカートンの端部パネル３近傍でシート材料の縁部で引く力が集中される。参照数字９０は、破断ラインの前縁の場所を示しており、この破断ラインは、図面に示すように、シート材料の上縁からブレードに沿って下縁に向かって進む。場所９０の下の破断ラインに沿って配置されたシート材料は、ほとんどか、全く張力が加えられないが、場所９０近傍の張力は、必要な貫通圧力を越えて維持される。破断ラインがカートンの端部パネル２近傍で最も遠い材料の縁部に到達したとき、貫通が完了し、ブレードの歯を有する側方で残りのシート材料に新しい端縁２１が形成される。
【手続補正１１】
【補正対象書類名】明細書
【補正対象項目名】００３３
【補正方法】変更
【補正の内容】
【００３３】
現在、関連する１つの材料は、ベース材料の立体的な表面トポグラフィーによって外部と接触しないように少なくとも１つの表面上に接着剤のような活性物質を有する立体的で柔軟なウエブを有する。このような材料は、少なくとも１つの表面に隆起付き「くぼみ（ディンプル）」のパターンを形成するようにエンボス／デボス加工されたポリマー製のまたは他のシート材料を有し、このくぼみは、スタンドオフ部材がこの構造をさらに二次元的にするように変形されるまでその間の接着剤が外面と接触することを防止するスタンドオフ部材として作用する。代表的な接着剤キャリア構造は、１９９７年９月２日にハミルトン（Hamilton）及びマクガイヤ（McGuire）に付与された発明の名称「圧力が加えられたとき目標表面に解放可能にシールすることができる複合材料及びその製造方法」の米国特許第５，６６２，７５８号、１９９９年２月１６日にハミルトン（Hamilton）及びマクガイヤ（McGuire）に付与された発明の名称「変形可能なスタンドオフ部材によって保護される基板を有する材料及びその方法」の米国特許第５，８７１，６０７号、１９９６年１１月８日にマクガイヤ（McGuire）、トエッデル（Tweddell）及びハミルトン（Hamilton）により出願された発明の名称「立体的なネスティング抵抗シート材料及びその製造方法及び製造装置」の米国特許出願第０８／７４５，３３９号、及び１９９６年１１月８日にハミルトン（Hamilton）及びマクガイヤ（McGuire）により出願され本発明の譲受人に共に譲渡された発明の名称「改良された貯蔵ラップ材料」の米国特許出願第０８／７４５，３４０号に開示されている。